(57)【要約】      （修正有）【課題】監視サーバに対する監視プログラムまたは前記監視プログラムの動作を設定するファイルの変更ないし更新を、電子メールにより安全にして、迅速かつ低コストに行うことができる調光設備の遠方監視システムを提供する。【解決手段】予め設定した調光操作プログラムにより調光制御する調光卓１３ａ、１３ｂ、１３ｃと、前記調光卓の動作操作を監視すると共に通信ネットワーク３０を介して外部の監視センタとアクセス可能に接続されている監視サーバ１２Ａ、１２Ｂとを備え、前記監視サーバ側と前記監視センタ側とに、それぞれメールサーバ１４、２４を設けると共に、両者をファイアウォール１６、２６を介して通信ネットワーク３０により接続配置し、前記監視サーバ側のメールサーバ１４が受信した電子メールにより監視サーバ内の監視プログラムまたは前記監視プログラムの動作を設定するファイルの変更ないし更新を行うように構成する。【選択図】  図１
2004206210.tif 000002
【特許請求の範囲】
【請求項１】
スタジオや劇場等の照明をそれぞれ予め設定した調光操作プログラムにより調光制御する調光卓と、前記調光卓の動作状態を監視すると共に通信ネットワークを介して外部の監視センタとアクセス可能に接続されている監視サーバとを備えた調光設備からなり、
前記調光設備の監視サーバ側と前記監視センタ側とに、それぞれメールサーバを設けると共に、前記監視サーバ側と監視センタ側とをファイアウォールを介して通信ネットワークにより相互にアクセス可能に接続配置し、
前記監視サーバ側のメールサーバが受信した電子メールにより監視サーバ内の監視プログラムまたは前記監視プログラムの動作を設定するファイルの変更ないし更新を行うように構成されていることを特徴とする調光設備の遠方監視システム。
【請求項２】
前記調光設備の監視サーバは、前記監視サーバ側に接続配置したメールサーバに対して定期的にアクセスして電子メールを取得し、自己の監視サーバ宛ての電子メールの確認を行うと共に、自己の監視サーバ宛ての電子メールの取得に際しては、当該メール本文や添付ファイルのデータを使用して、監視プログラムまたは前記監視プログラムの動作を設定するファイルの変更ないし更新を行うように構成したことを特徴とする請求項１記載の調光設備の遠方監視システム。
【請求項３】
前記調光設備の監視サーバは、前記監視プログラムまたは前記監視プログラムの動作を設定するファイルの変更ないし更新を行った際に、その完了をメールサーバを介して電子メールにより監視センタ宛てに送信するように構成したことを特徴とする請求項２記載の調光設備の遠方監視システム。
【請求項４】
前記監視センタは、前記監視センタ側に接続配置したメールサーバに対して定期的にアクセスして電子メールを取得し、監視センタ宛ての電子メールの取得に際しては、当該メール本文や添付ファイルのデータと、監視サーバ宛ての監視プログラムまたは前記監視プログラムの動作を設定するファイルの変更ないし更新要求との一致を確認すると共に、前記監視サーバにおける監視プログラムまたは前記監視プログラムの動作を設定するファイルの変更ないし更新の完了を確認するように構成したことを特徴とする請求項１ないし３のいずれかに記載の調光設備の遠方監視システム。
【発明の詳細な説明】
【０００１】
【発明の属する技術分野】
本発明は、スタジオや劇場等における照明負荷等の点消灯や調光を行うための調光設備に対し、遠方において監視を行うための調光設備の遠方監視システムに関するものである。
【０００２】
【従来の技術】
一般に、スタジオや劇場等における照明に際しては、照明の明るさを制御する調光卓等の調光設備を使用することによって、使用目的（シーン）に応じた最適な明るさが得られるように設定されている。すなわち、前記調光設備は、様々なシーンに応じた明るさを得るために複数の機能を有しており、これらの複数の機能が効果的に活用されることによって、それぞれのシーンに応じた演出を、より効果的に発揮し得るように、明るさの制御内容がそれぞれプログラム化されて、調光操作プログラムとして設定されている。
【０００３】
従来のスタジオや劇場等における調光設備として、例えば複数のスタジオを設けたテレビ局において、各スタジオの調光設備には、前述した調光操作プログラムを監視するための監視サーバを設けて、調光操作プログラムおよびその動作についての監視を行っている。そして、これらの各スタジオにおける調光設備の調光操作状態については、スタジオの外部に設けた監視センタより、各スタジオに対応する監視サーバに適宜通信ネットワークを介してそれぞれアクセスし得るように構成して、テレビ局全体の各調光設備の監視機能を遠方において集中して管理する監視システムが構築されている。
【０００４】
なお、従来において、ネットワークの異常やネットワークの状態を監視する手段として、リピータ機能部からトラフィックカウンタ情報を取得してネットワーク状況の監視を行うネットワーク状況監視機能部において、トラップ発生検知に際して、トラップ発生情報を指定メール宛先にメール送信するメール送信機能部を設けることにより、ネットワーク管理者はトラップマネージャーがなくてもネットワークの異常を即座に知ることができるようにしたシステムが提案されている（特許文献１参照）。
【０００５】
【特許文献１】
特願２０００−３４１３６７号公報（特許請求の範囲、発明の詳細な説明全文、図１、図３）
【０００６】
【発明が解決しようとする課題】
しかるに、前述した従来の調光設備の遠方監視システムにおいては、それぞれスタジオや劇場等における調光操作プログラムの変更ないし更新、さらにはこれらに伴う監視プログラムの変更ないし更新および前記プログラムの動作を設定するファイルの変更ないし更新等を行うに際しては、それぞれ調光設備が設置されている施設へ作業員が赴いて作業を行う必要があった。このため、作業員の出張に伴う経費および作業に要する時間が増大する難点がある。
【０００７】
そこで、このような経費および時間の節減を図るため、例えば監視センタ等から、通信ネットワークに接続された各監視サーバへ直接アクセスを行って、監視プログラムの変更ないし更新を行うことが提案される。しかし、この場合、既設の調光設備の監視サーバについてそれぞれ通信ネットワークへ接続するための設定を変更することや、監視センタとスタジオ等のファイアウォールの設定を変更する必要があり、しかもセキュリティレベルが低下する等の問題を生じる難点がある。
【０００８】
さらに、前述した監視サーバの通信ネットワークへの接続によるセキュリティの問題を解決するために、例えば監視センタとの間における専用線による接続も提案されるが、運用コストが増大する難点がある。
【０００９】
そこで、本発明者は、鋭意研究並びに検討を重ねた結果、スタジオや劇場等の照明をそれぞれ予め設定した調光操作プログラムにより調光制御する調光卓と、前記調光卓の動作状態を監視すると共に通信ネットワークを介して外部の監視センタとアクセス可能に接続されている監視サーバとを備えた調光設備を設けた構成とし、前記調光設備の監視サーバ側と前記監視センタ側とに、それぞれメールサーバを設けると共に、前記サーバ側と監視センタ側とをファイアウォールを介して通信ネットワークにより相互にアクセス可能に接続配置して、前記監視サーバ側のメールサーバが受信した電子メールにより所要の監視サーバ内の監視プログラムまたは前記監視プログラムの動作を設定するファイルの変更ないし更新を行うように構成することによって、前述した問題点を全て解消し得る調光設備の遠方監視システムを実現することができることを突き止めた。
【００１０】
しかるに、前記調光設備の遠方監視システムにおいては、監視センタから所定の監視サーバに対する監視プログラムまたは前記監視プログラムの動作を設定するファイルの変更ないし更新を行う要求は、相互にメールサーバを介して電子メールにより送信を行い、メールサーバに取得された電子メールは監視サーバにより定期的に確認を行い、前記監視プログラム等の変更ないし更新要求がなされた監視サーバは、当該メール本文や添付ファイルのデータを使用して、監視プログラムまたは前記監視プログラムの動作を設定するファイルの変更ないし更新が行われる。このようにして、監視プログラムまたは前記監視プログラムの動作を設定するファイルの変更ないし更新を行った監視サーバは、その変更ないし更新の完了をメールサーバを介して電子メールにより監視センタ宛てに送信するように設定することができる。
【００１１】
そして、監視センタにおいては、監視センタ側に接続配置したメールサーバに対して定期的にアクセスして、メールサーバに取得された電子メールのメール本文や添付ファイルのデータを確認し、これらのデータが所定の監視サーバに対する監視プログラムまたは前記監視プログラムの動作を設定するファイルの変更ないし更新要求と一致しているかを確認すると共に、所定の監視サーバにおける監視プログラムまたは前記監視プログラムの動作を設定するファイルの変更ないし更新の完了を確認することができる。
【００１２】
従って、本発明の目的は、スタジオや劇場等の照明を調光制御する調光設備の遠方監視システムにおいて、調光設備の監視サーバ側と、これら監視サーバを集中監視する監視センタ側とに、それぞれメールサーバを設け、所要の監視サーバに対する監視プログラムまたはまたは前記監視プログラムの動作を設定するファイルの変更ないし更新を、電子メールにより安全にして、迅速かつ低コストに行うことができる調光設備の遠方監視システムを提供する。
【００１３】
【課題を解決するための手段】
前記目的を達成するため、本発明の請求項１に記載の調光設備の遠方監視システムは、スタジオや劇場等の照明をそれぞれ予め設定した調光操作プログラムにより調光制御する調光卓と、前記調光卓の動作状態を監視すると共に通信ネットワークを介して外部の監視センタとアクセス可能に接続されている監視サーバとを備えた調光設備からなり、
前記調光設備の監視サーバ側と前記監視センタ側とに、それぞれメールサーバを設けると共に、前記監視サーバ側と監視センタ側とをファイアウォールを介して通信ネットワークにより相互にアクセス可能に接続配置し、
前記監視サーバ側のメールサーバが受信した電子メールにより監視サーバ内の監視プログラムまたは前記監視プログラムの動作を設定するファイルの変更ないし更新を行うように構成されていることを特徴とする。
【００１４】
また、本発明の請求項２に記載の調光設備の遠方監視システムにおいては、前記調光設備の監視サーバは、前記監視サーバ側に接続配置したメールサーバに対して定期的にアクセスして電子メールを取得し、自己の監視サーバ宛ての電子メールの確認を行うと共に、自己の監視サーバ宛ての電子メールの取得に際しては、当該メール本文や添付ファイルのデータを使用して、監視プログラムまたは前記監視プログラムの動作を設定するファイルの変更ないし更新を行うように構成したことを特徴とする。
【００１５】
さらに、本発明の請求項３に記載の調光設備の遠方監視システムにおいては、前記調光設備の監視サーバは、前記監視プログラムまたは前記監視プログラムの動作を設定するファイルの変更ないし更新を行った際に、その完了をメールサーバを介して電子メールにより監視センタ宛てに送信するように構成したことを特徴とする。
【００１６】
そして、本発明の請求項４に記載の調光設備の遠方監視システムにおいては、前記監視センタ側に接続配置したメールサーバに対して定期的にアクセスして電子メールを取得し、監視センタ宛ての電子メールの取得に際しては、当該メール本文や添付ファイルのデータと、監視サーバ宛ての監視プログラムまたは前記監視プログラムの動作を設定するファイルの変更ないし更新要求との一致を確認すると共に、前記監視サーバにおける監視プログラムまたは前記監視プログラムの動作を設定するファイルの変更ないし更新の完了を確認するように構成したことを特徴とする。
【００１７】
【発明の実施の形態】
次に、本発明に係る調光設備の遠方監視システムの実施例につき、添付図面を参照しながら、以下詳細に説明する。
【００１８】
図１は、本発明に係る調光設備の遠方監視システムのシステム構成の一実施例を示す概略ブロック結線図である。すなわち、図１において、本実施例における調光設備の遠方監視システムは、複数のスタジオＡ、Ｂをテレビ局１０と、遠方に設置した監視センタ２０とから構成される。テレビ局１０においては、調光設備として、それぞれスタジオＡ、Ｂ内における照明の調光制御を行うための、例えば調光卓や調光制御盤、照明器具の昇降制御装置等の複数のスタジオ機器１３ａ、１３ｂ、１３ｃと、これらのスタジオ機器１３ａ、１３ｂ、１３ｃの動作状態を監視する監視サーバ１２Ａ、１２Ｂが設けられている。
【００１９】
そして、前記テレビ局１０には、電子メールの送受信を行うためのメールサーバ１４が設けられると共に、このメールサーバ１４に対して前記各監視サーバ１２Ａ、１２Ｂが接続され、さらにファイアウォール１６を介してインターネット等の通信ネットワーク３０に接続されている。
【００２０】
一方、前記監視センタ２０には、前記複数の監視サーバ１２Ａ、１２Ｂを集中監視するための監視システム２２と共に、電子メールの送受信を行うためのメールサーバ２４が接続配置され、さらにファイアウォール２６を介して通信ネットワーク３０に接続されている。
【００２１】
このように構成された本実施例の調光設備の遠方監視システムは、前記監視センタ２０から電子メールにより、監視サーバ１２Ａ、１２Ｂ内の監視プログラムまたは前記監視プログラムの動作を設定するファイルの変更ないし更新を行うように構成される。
【００２２】
そこで、前記構成からなる本実施例の調光設備の遠方監視システムによる、監視サーバに対する監視プログラムまたは前記監視プログラムの動作を設定するファイルの変更ないし更新を行うための動作につき、図２ないし図４に示す動作プログラムのフローチャートを参照しながら説明する。
【００２３】
図２は、監視センタ２０からテレビ局１０内の監視サーバ１２Ａ、１２Ｂに対して、監視プログラムまたは前記監視プログラムの動作を設定するファイルの変更ないし更新要求を行うための動作プログラムである。
【００２４】
この場合、監視センタ２０は、監視システム２２において、テレビ局１０内の所定の監視サーバ１２Ａまたは１２Ｂ宛てに、監視プログラムまたは前記監視プログラムの動作を設定するファイルの変更ないし更新を行うためのデータを電子メールとして作成し、メールサーバ２４に蓄積する（ＳＴＥＰ−２１）。このようにして、メールサーバ２６に蓄積されたデータは、電子メールとして通信ネットワーク３０を介してテレビ局１０のメールサーバ１４に送信される（ＳＴＥＰ−２２）。
【００２５】
図３は、監視サーバ１２Ａ、１２Ｂが監視センタ２０より要求された監視プログラムまたは前記監視プログラムの動作を設定するファイルの変更ないし更新の確認および設定を行うための動作プログラムである。
【００２６】
この場合、監視サーバ１２Ａ、１２Ｂは、メールサーバ１４に対して定期的にアクセスして電子メールの取得を行い（ＳＴＥＰ−３１）、次いで自己の監視サーバ１２Ａ、１２Ｂ宛ての電子メールの有無について確認を行う（ＳＴＥＰ−３２）。自己の監視サーバ１２Ａ、１２Ｂ宛ての電子メールでない場合は、所定のタイミングで再度電子メールの取得を行う（ＳＴＥＰ−３１）。
【００２７】
自己の監視サーバ１２Ａ、１２Ｂ宛ての電子メールが確認された場合は、取得された電子メールのメール本文の解析を行い（ＳＴＥＰ−３３）、監視サーバ１２Ａ、１２Ｂに対する監視プログラムまたは前記監視プログラムの動作を設定するファイルの変更ないし更新の要求の有無を判定する（ＳＴＥＰ−３４）。前記監視プログラム等の変更ないし更新の要求でない場合は、所定のタイミングで再度電子メールの取得を行い（ＳＴＥＰ−３１）、前記動作を順次繰り返す。
【００２８】
そこで、前記監視プログラム等の変更ないし更新の要求である場合には、当該メール本文や添付ファイルのデータを使用して、対応する監視サーバ１２Ａ、１２Ｂの監視プログラムまたは前記監視プログラムの動作を設定するファイルの変更ないし更新が行われる（ＳＴＥＰ−３５）。そして、前記監視プログラム等の変更ないし更新が行われた監視サーバ１２Ａ、１２Ｂは、監視センタ２０宛てに、前記監視プログラム等の変更ないし更新了の電子メールをメールサーバ１４に蓄積し、通信ネットワーク３０を介して監視センタ２０のメールサーバ２４に送信する（ＳＴＥＰ−３６）。
【００２９】
図４は、監視センタ２０が監視サーバ１２Ａ、１２Ｂに要求した監視プログラムまたは前記監視プログラムの動作を設定するファイルの変更ないし更新の設定の確認を行うための動作プログラムである。
【００３０】
この場合、監視センタ２０の監視システム２２は、メールサーバ２４に対して定期的にアクセスして電子メールの取得を行い（ＳＴＥＰ−４１）、次いで監視センタ２０宛ての電子メールの有無について確認を行う（ＳＴＥＰ−４２）。監視センタ２０宛ての電子メールでない場合は、所定のタイミングで再度電子メールの取得を行う（ＳＴＥＰ−４１）。
【００３１】
監視センタ２０宛ての電子メールが確認された場合は、取得された電子メールのメール本文の解析を行い（ＳＴＥＰ−４３）、監視サーバ１２Ａ、１２Ｂに対する監視プログラムまたは前記監視プログラムの動作を設定するファイルの変更ないし更新の完了の電子メールの有無を判定する（ＳＴＥＰ−４４）。前記監視プログラム等の変更ないし更新の完了の電子メールでない場合は、所定のタイミングで再度電子メールの取得を行い（ＳＴＥＰ−４１）、前記動作を順次繰り返す。
【００３２】
そこで、前記監視プログラム等の変更ないし更新の完了の電子メールである場合には、当該メール本文や添付ファイルのデータが、前記監視プログラム等の変更ないし更新要求のデータと一致しているかを確認し、前記監視プログラム等の変更ないし更新の完了を確認することができる（ＳＴＥＰ−４５）。
【００３３】
以上、本発明の好適な実施例について説明したが、本発明は前記実施例に限定されることなく、本発明の精神を逸脱しない範囲内において、種々の設計変更を行うことができる。
【００３４】
【発明の効果】
前述した実施例から明らかな通り、請求項１に記載の本発明に係る調光設備の遠方監視システムによれば、所要の監視サーバに対する監視プログラムまたは前記監視プログラムの動作を設定するファイルの変更ないし更新を、監視センタから電子メールにより安全にして、迅速かつ低コストに行うことができる。
【００３５】
また、請求項２に記載の本発明に係る調光設備の遠方監視システムによれば、監視センタから監視サーバに対する監視プログラムまたは前記監視プログラムの動作を設定するファイルの変更ないし更新の要求を、電子メールのメール本文や添付ファイルのデータを使用して容易かつ迅速に行うことができる。
【００３６】
さらに、請求項３に記載の本発明に係る調光設備の遠方監視システムによれば、監視サーバにおける監視プログラムまたは前記監視プログラムの動作を設定するファイルの変更ないし更新の完了を、電子メールにより簡便に行うことができる。
【００３７】
そして、請求項４に記載の本発明に係る調光設備の遠方監視システムによれば、監視センタにおいて、監視サーバにおける監視プログラムまたは前記監視プログラムの動作を設定するファイルの変更ないし更新の完了の確認を、電子メールのメール本文や添付ファイルのデータを使用して容易かつ確実に行うことができる。
【図面の簡単な説明】
【図１】本発明に係る調光設備の遠方監視システムのシステム構成を示す概略ブロック結線図である。
【図２】本発明に係る調光設備の遠方監視システムにおいて、監視センタから監視サーバに対して監視プログラムまたは前記監視プログラムの動作を設定するファイルの変更ないし更新要求を行うための動作プログラムを示すフローチャート図である。
【図３】本発明に係る調光設備の遠方監視システムにおいて、監視サーバが監視センタより要求された監視プログラムまたは前記監視プログラムの動作を設定するファイルの変更ないし更新の確認および設定を行うための動作プログラムを示すフローチャート図である。
【図４】本発明に係る調光設備の遠方監視システムにおいて、監視センタが監視サーバに要求した監視プログラムまたは前記監視プログラムの動作を設定するファイルの変更ないし更新の設定の確認を行うための動作プログラムを示すフローチャート図である。
【符号の説明】
１０  テレビ局
１２Ａ  監視サーバ
１２Ｂ  監視サーバ
１３ａ  スタジオ機器
１３ｂ  スタジオ機器
１３ｃ  スタジオ機器
１４  メールサーバ
１６  ファイアウォール
２０  監視センタ
２２  監視システム
２４  メールサーバ
２６  ファイアウォール
３０  通信ネットワーク
【図１】
2004206210.tif 000003
【図２】
2004206210.tif 000004
【図３】
2004206210.tif 000005
【図４】
2004206210.tif 000006